(57)【要約】【課題】薬剤等を所望の分量に分けて振とう・溶解し服用でき、薬剤等の薬効上ないし管理衛生上に優れ、患者が受ける肉体的、精神的負担も軽減できる極めて有用かつ便利な薬剤等の分割式包装袋を提供する。【解決手段】薬剤等の分割式包装袋１は個別収容室３と当該個別収容室３の長さ方向の上下に必要に応じて設けられる調整シール部５とを備える個別分包要素７と、前記個別分包要素７を幅方向に並列的に連接すると共に、隣接する各個別収容室３を区画する区画シール部９と、包装袋の周縁に設けられる周縁シール部１１とを備えることによって構成されており、前記調整シール部５のシール長ａないし配置を適宜調整することによって、選択した仮想切取線１３の位置により個別収容室３を単独で、または複数の個別収容室３を同時に開封できるように構成した。【選択図】　　　　　　　図２
2004026173.tif 000002
【特許請求の範囲】
【請求項１】
薬剤等を収容する収容室と、収容室を密封するシール部とを備える薬剤等の包装袋において、前記包装袋は個別収容室と当該個別収容室の上下に必要に応じて設けられる調整シール部とを備える個別分包要素と、前記個別分包要素を幅方向に並列的に連接すると共に、隣接する各個別収容室を区画する区画シール部と、包装袋の周縁に設けられる周縁シール部とを備えることによって構成されており、前記調整シール部のシール長ないし配置を適宜調整することによって、選択した仮想切取線の位置により個別収容室を単独で、または複数の個別収容室を同時に開封できるように構成したことを特徴とする薬剤等の分割式包装袋。
【請求項２】
請求項１に記載した薬剤等の分割式包装袋において、仮想切取線は個別収容室の数と同じ数だけ設けられ、仮想切取線を適宜選択することによって所望の数の個別収容室を一挙に開封できるようにしたことを特徴とする薬剤等の分割式包装袋。
【請求項３】
請求項１または２に記載した薬剤等の分割式包装袋において、各個別収容室に収容される薬剤等の種類は同じであり、収容される薬剤等の分量は同量に設定されていることを特徴とする薬剤等の分割式包装袋。
【請求項４】
請求項１〜３のいずれかに記載した薬剤等の分割式包装袋において、周縁シール部には仮想切取線の位置を示す切込部が形成されていることを特徴とする薬剤等の分割式包装袋。
【発明の詳細な説明】
【０００１】
【発明の属する技術分野】
本発明は薬剤等を収容する包装袋に係り、特に薬剤等を収容する個別の収容室を複数分割して備える薬剤等の分割式包装袋に関する。
【０００２】
【従来の技術】
例えば大腸内視鏡検査や大腸手術等を行なう場合には、腸管内の食物等を予め排除する必要がある。この場合粉末として供給される経口腸管洗浄剤を２リットルの水に入れて、浸透し溶解させ患者に服用させている。また経口腸管洗浄剤の水に溶解する作業は自宅において患者自身が行なうことも認められている。
【０００３】
【発明が解決しようとする課題】
しかし、２リットルもの大量の水による溶解作業を患者自身に行なわせることは非常に酷である。
また、経口腸管洗浄剤は溶解後速やかに服用することが望ましいが、通常０．５リットルの経口腸管洗浄剤溶液を服用するのに３０分もかかるので、経口腸管洗浄剤を２リットルの水に１度に溶解してしまったのでは、速やかな服用は不可能である。
また経口腸管洗浄剤の溶解に使用する容器としては、空のペットボトルを使用することが多いが、内容量２リットルの容器は比較的少なく、内容量０．５リットルの容器の方が容易に入手できるという実状もある。
【０００４】
本発明は、上記従来の問題点に着目してなされたものであり、薬剤等を所望の分量に分けて溶解し服用でき、薬剤等の薬効上ないし管理衛生上に優れ、患者が受ける肉体的、精神的負担も軽減できる薬剤等の分割式包装袋を提供することを目的とするものである。
【０００５】
【課題を解決するための手段】
上記課題を解決するために請求項１記載の発明は、薬剤等を収容する収容室と、収容室を密封するシール部とを備える薬剤等の包装袋において、前記包装袋は個別収容室と当該個別収容室の長さ方向の上下に必要に応じて設けられる調整シール部とを備える個別分包要素と、前記個別分包要素を幅方向に並列的に連接すると共に、隣接する各個別収容室を区画する区画シール部と、包装袋の周縁に設けられる周縁シール部とを備えることによって構成されており、前記調整シール部のシール長ないし配置を適宜調整することによって、選択した仮想切取線の位置により個別収容室を単独で、または複数の個別収容室を同時に開封できるように構成したことを特徴として成る。
【０００６】
請求項２記載の発明は、請求項１に記載した薬剤等の分割式包装袋において、仮想切取線は個別収容室の数と同じ数だけ設けられ、仮想切取線を適宜選択することによって所望の数の個別収容室を一挙に開封できるようにしたことを特徴として成る。
【０００７】
請求項３記載の発明は、請求項１または２に記載した薬剤等の分割式包装袋において、各個別収容室に収容される薬剤等の種類は同じであり、収容される薬剤等の分量は同量に設定されていることを特徴として成る。
【０００８】
請求項４記載の発明は、請求項１〜３のいずれかに記載した薬剤等の分割式包装袋において、周縁シール部には仮想切取線の位置を示す切込部が形成されていることを特徴として成る。
【０００９】
【発明の実施の形態】
以下、本発明の実施の形態に係る薬剤等の分割式包装袋１を説明する。
本発明の薬剤等の分割式包装袋１は例えば２枚のフィルムを積層し、ヒートシール加工等を施すことによって形成されるものであって、薬剤等を収容する収容室と、当該収容室を密封するシール部とを備えることによって構成されている。
【００１０】
具体的には図１、２に示すように、単一の個別収容室３と、当該個別収容室３の長さ方向（図２中、縦方向）の上下に必要に応じて設けられる調整シール部５とを備える個別分包要素７と、前記個別分包要素７を幅方向に並列的に連接すると共に隣接する各個別収容室３を区画する区画シール部９と、包装袋の周縁に設けられる周縁シール部１１とを備えることによって構成されている。
【００１１】
本実施の形態では同一幅寸法の個別分包要素７が４組設けられており、これらを区別する場合には図２中、左側から７Ａ、７Ｂ、７Ｃ、７Ｄとする。また各個別分包要素７Ａ、７Ｂ、７Ｃ、７Ｄに対して設けられている個別収容室３について同様に区別する場合には図２中、左側から３Ａ、３Ｂ、３Ｃ、３Ｄとする。なお、各個別収容室３の幅寸法はすべて同じであり、長さ寸法のみが異なっている。
【００１２】
個別分包要素７Ａは個別収容室３Ａのみが設けられ、調整シール部５を有しない構成となっている。また個別分包要素７Ｂは個別収容室３Ｂの上方のみに調整シール部５が設けられている。
個別分包要素７Ｃは個別分包要素７Ｂと同様、個別収容室３Ｃの上方のみに調整シール部５が設けられており、そのシール長ａは個別分包要素７Ｂのものより幾分長めに設定されている。また個別分包要素７Ｄは個別収容室３Ｄの上下両方に調整シール部５が設けられている。上方の調整シール部５のシール長ａは個別分包要素７Ｃのものとほぼ同じで、下方の調整シール部５のシール長ａは個別分包要素７Ｂのものと同様、幾分これより短めに設定されている。
【００１３】
区画シール部９は個別収容室３の幅方向の境界を設定するものであって、この区画シール部９を挟んで隣接する個別収容室３が幅方向に等ピッチで連接されている。
周縁シール部１１は４組の個別分包要素７を含む薬剤等の分割式包装袋１の周縁を密封するものであって、調整シール部５と同様、個別収容室３の長さ方向の境界を設定する役割も担っている。
【００１４】
図２において破線で示すものは仮想切取線１３であって、この仮想切取線１３は実際にはミシン目等が形成されているわけではないが、一例として左端の周縁シール部１１に対して形成されているノッチと呼ばれる切込部１５を案内として切り取った場合に予想される切取線の位置を示すものである。
仮想切取線１３は個別収容室３の数と同じ４本が設けられており、これらを区別する場合には図２中、上方から１３Ａ、１３Ｂ、１３Ｄ、１３Ｃとする。
【００１５】
一番上の仮想切取線１３Ａに着目すると、個別分包要素７Ａでは個別収容室３Ａを通過し、他の個別分包要素７Ｂ、７Ｃ、７Ｄでは調整シール部５を通過するように位置設定されている。
上から２番目の仮想切取線１３Ｂに着目すると、個別分包要素７Ａ、７Ｂでは個別収容室３Ａ、３Ｂを通過し、残りの個別分包要素７Ｃ、７Ｄでは調整シール部５を通過するように位置設定されている。
【００１６】
下から２番目の仮想切取線１３Ｄに着目すると、すべての個別分包要素７の個別収容室３を通過するように位置設定されている。
一番下の仮想線１３Ｃに着目すると、個別分包要素７Ａ、７Ｂ、７Ｃでは個別収容室３Ａ、３Ｂ、３Ｃを通過し、残りの個別分包要素７Ｄのみが調整シール部５を通過するように位置設定されている。
【００１７】
次に、この薬剤等の分割式包装袋１に薬剤等としての経口腸管洗浄剤１７を収容した場合を例にとり、薬剤等の分割式包装袋１から経口腸管洗浄剤１７を取り出し、水に溶解する作業について説明する。
各個別収容室３内には水０．５リットルで溶解する分量の粉末状の経口腸管洗浄剤１７が収容されている。
【００１８】
患者が経口腸管洗浄剤１７を０．５リットルの水に溶解する場合には仮想切取線１３Ａを選択し、左端の切込部１５から幅方向に裂く。これにより個別収容室３Ａが単独で開封され、個別収容室３Ａ内に収容されていた水０．５リットル分の経口腸管洗浄剤１７のみを取り出すことができる。
同様に経口腸管洗浄剤１７を１リットルの水に溶解する場合には仮想切取線１３Ｂを、１．５リットルの水に溶解する場合には仮想切取線１３Ｃを、２リットルの水に溶解する場合には仮想切取線１３Ｄをそれぞれ選択すればよい。即ち、仮想切取線１３Ｂを選択して裂いた場合には個別収容室３Ａ、３Ｂが開封され、仮想切取線１３Ｃを選択して裂いた場合には個別収容室３Ａ、３Ｂ、３Ｃが開封され、仮想切取線１３Ｄを選択して裂いた場合には個別収容室３Ａ、３Ｂ、３Ｃ、３Ｄが開封されて、複数の個別収容室が同時に開封できる。
【００１９】
次に取り出した経口腸管洗浄剤１７を容器に入れ、所定量の水を注いで振とうし溶解して服用に供する。
また時間を空けて水０．５リットル分ずつの経口腸管洗浄剤１７を繰り返し取り出したい場合には最初に仮想切取線１３Ａ、次に仮想切取線１３Ｂ、次に仮想切取線１３Ｃ、最後に仮想切取線１３Ｄの順で選択し切り取れば水０．５リットル分ずつの経口腸管洗浄剤１７を繰り返し取り出すことができる。
【００２０】
同様に時間を空けて水１リットル分ずつの経口腸管洗浄剤１７を２回に分けて取り出したい場合には最初に仮想切取線１３Ｂ、次に仮想切取線１３Ｄを選択すればよい。
なお、経口腸管洗浄剤溶液を服用する量は患者によって異なるが、この薬剤等の分割式包装袋１を用いれば、水０．５リットル分毎の経口腸管洗浄剤１７を取り出すことができるので、その患者に必要な分だけ経口腸管洗浄剤溶液をつくることができる。従って、患者が一度に大量の経口腸管洗浄剤溶液を眼前にするのを回避でき、精神的負担を軽減することができる。この薬剤等の分割式包装袋１では、一部の個別収容室３を開封しても、未開封の個別収容室３は密封されたままなので、経口腸管洗浄剤１７について薬効上ないし管理衛生上の問題は生じない。
【００２１】
以上、本発明の実施の形態について詳述してきたが、具体的な構成はこの実施の形態に限られるものではなく、本発明の要旨を逸脱しない範囲における設計の変更などがあっても本発明に含まれる。
例えば図３に示すように調整シール部５のシール長ａを比較的短めに設定し調整シール部５の位置のみを調整することによって構成することも可能である。このような構成を採用しても前記図１、２に示す実施の形態と同様の機能を発揮し得る。
【００２２】
また図４に示すように調整シール部５を個別収納室３の上方のみに配置し、個別収容室３の上部封鎖部が右下がりに階段状に低くなるように構成することも可能である。なお、このようにした場合には仮想切取線１３は図４中、上方のみに設けられ、仮想切取線１３は上から１３Ａ、１３Ｂ、１３Ｃ、１３Ｄの順で配置される。
さらに、本発明の分割式包装袋１に収容される薬剤等には医療行為に直接用いられる薬剤の他、上述した経口腸管洗浄剤１７のように医療行為に先立って行なわれる処置や医療行為が終了した際に行なわれる処置のように必ずしも医療行為とはいえない行為を行なう際に用いられるもの（薬剤に限らない）も含まれる。また薬剤等の形態も粉末状に限らず、粒状、液体状等種々の形態を採用し得る。
【００２３】
上記実施の形態では個別収容室３に仕切りが設けられていない例を示したが、本発明はこれに限定されず、個別収容室内に仕切りを設けて個別収容室に種類の異なる複数の薬剤等を混ざらない状態で収容できる構成としてもよい。このような仕切り有する個別収容室を備えた薬剤等の分割式包装袋は、例えば、使用直前に混合すべき二種類以上の薬剤等を収容するのに用いられる。この薬剤等の分割式包装袋の使用方法は、個別収容室を開封する前に仕切りを構成するシール部を剥がす等して仕切りを開け、個別収容室内で二種類以上の薬剤を混合し、次いで個別収容室を開封して薬剤等を取り出す。
【００２４】
【発明の効果】
本発明によれば仮想切取線を適宜選択することによって薬剤等を所望の分量に分けて個別収容室から取り出すことができるので、これに加える水の量は少なくて済み、振とう・溶解作業が容易となり、服用も無理なく、速やかに行なわれる。
また、薬剤等を使用する分だけ取り出せるので、薬剤等を無駄にするのを防止することができ、開封していない個別収容室は密封されたままなので、薬剤等について薬効上ないし管理衛生上の問題は生じない。
【図面の簡単な説明】
【図１】本発明の実施の形態に係る薬剤等の分割式包装袋の使用状態を示す斜視図である。
【図２】本発明の実施の形態に係る薬剤等の分割式包装袋においてシール部にハッチングを付して示す平面図である。
【図３】本発明の他の実施の形態に係る薬剤等の分割式包装袋においてシール部にハッチングを付して示す平面図である。
【図４】本発明の更に他の実施の形態に係る薬剤等の分割式包装袋においてシール部にハッチングを付して示す平面図である。
【符号の説明】
１　薬剤等の分割式包装袋　　　３　個別収容室
５　調整シール部　　　７　個別分包要素
９　区画シール部　　　１１　周縁シール部
１３　仮想切取線　　　１５　切込部
１７　経口腸管洗浄剤　ａ　　シール長
【図１】
2004026173.tif 000003
【図２】
2004026173.tif 000004
【図３】
2004026173.tif 000005
【図４】
2004026173.tif 000006